(57)【要約】【課題】本発明は、各供試品に対し接続用アダプタコネクタを介して試験器材の試験用コネクタに接続することにより、試験器材側のケーブルコネクタを１種類で済ませることを目的とする。【解決手段】本発明による計測用ケーブル接続方法は、ケーブルコネクタ(5a)と供試品(6a…)の供試用コネクタ(10a…)との間を、接続用ケーブル(22)で接続された各接続用コネクタ(21,23,30,31)からなる接続用アダプタコネクタ(20,32)で接続する構成である。【選択図】図１
2006177670.tif 000002
【特許請求の範囲】
【請求項１】
試験器材(1)に対して、複数のケーブル(7)を有する試験用コネクタ(8a)を備えたケーブルコネクタ(5a)介して供試品(6a…)を電気機械的に接続する計測用ケーブル接続方法において、
前記ケーブルコネクタ(5a)と前記供試品(6a…)の供試用コネクタ(10a…)との間を、接続用ケーブル(22)で接続された第１、第２接続用コネクタ(21,23,30,31)からなる接続用アダプタコネクタ(20,32)で接続し、前記試験用コネクタ(8a)に対して前記第１接続用コネクタ(21,30)を接続し、前記供試用コネクタ(10a…)に対して前記第２接続用コネクタ(23,31)を接続することを特徴とする計測用ケーブル接続方法。
【請求項２】
前記接続用アダプタコネクタ(20,32)の接続用ケーブル(22)の数は、前記ケーブルコネクタ(5a)のケーブル(7)の数よりも少ないことを特徴とする請求項１記載の計測用ケーブル接続方法。
【請求項３】
前記第１接続用コネクタ(21,30)の端子数は、前記試験用コネクタ(8a)の端子数と同一であることを特徴とする請求項１記載の計測用ケーブル接続方法。
【請求項４】
前記第１接続用コネクタ(21,30)の端子数は、前記試験用コネクタ(8a)の端子数よりも少ないことを特徴とする請求項１記載の計測用ケーブル接続方法。
【発明の詳細な説明】
【技術分野】
【０００１】
本発明は、計測用ケーブル接続方法に関し、特に、複数の端子数の異なる供試用コネクタを有する各供試品に対し、接続用アダプタコネクタを介して試験器材の試験用コネクタに接続することにより、試験器材側のケーブルコネクタを１種類で済ませるようにするための新規な改良に関する。
【背景技術】
【０００２】
従来、用いられていたこの種の計測用ケーブル接続方法としては、特許文献等を示していないが、図５で示す方法が採用されていた。
すなわち、図５において符号１で示されるものは抵抗測定器２を有する試験器材であり、この試験器材１にはこの測定器２にスイッチ３を介して接続された試験器材用コネクタ４が設けられている。
【０００３】
前記試験器材用コネクタ４には、複数の第１〜第３ケーブルコネクタ５ａ〜５ｃを介して各々種類が異なる複数の第１〜第３供試品６ａ，６ｂ，６ｃが着脱自在に接続されるように構成されており、各ケーブルコネクタ５ａ〜５ｃは各供試品６ａ〜６ｃの構成内容に適合するように構成され、各ケーブルコネクタ５ａ〜５ｃ及び各供試品６ａ〜６ｃの数はｎ個である。
【０００４】
前記第１ケーブルコネクタ５ａは６本のケーブル７を有する第１試験用コネクタ８ａを有し、前記第１供試品６ａは３個の部品９に接続された第１供試用コネクタ１０ａが設けられ、前記第１試験用コネクタ８ａは前記第１供試用コネクタ１０ａに接続されるように構成されている。
【０００５】
前記第２ケーブルコネクタ５ｂは４本のケーブル７を有する第２試験用コネクタ８ｂを有し、前記第２供試品６ｂは２個の部品９に接続された第２供試用コネクタ１０ｂが設けられ、前記第２試験用コネクタ８ｂは前記第２供試用コネクタ１０ｂに接続されるように構成されている。
【０００６】
前記第３ケーブルコネクタ５ｃは２本のケーブル７を有する第３試験用コネクタ８ｃを有し、前記第３供試品６ｃは１個の部品９に接続された第３供試用コネクタ１０ｃが設けられ、前記第３試験用コネクタ８ｃは前記第３供試用コネクタ１０ｃに接続されるように構成されている。
【発明の開示】
【発明が解決しようとする課題】
【０００７】
従来の計測用ケーブル接続方法は、以上のように構成されていたため、次のような課題が存在していた。
すなわち、試験器材に対して、互いに異なる仕様すなわち構成内容及び供試用コネクタの端子数が異なる供試品を接続する場合、各供試品の供試用コネクタに対応した試験用コネクタを有する専用のケーブルコネクタをｎ個用意しなければならず、各ケーブルコネクタのケーブル長が１０ｍ以上に及ぶ場合には、多数用意することは管理上からもコスト上からも支障が生じていた。
【課題を解決するための手段】
【０００８】
本発明による計測用ケーブル接続方法は、試験器材に対して、複数のケーブルを有する試験用コネクタを備えたケーブルコネクタ介して供試品を電気機械的に接続する計測用ケーブル接続方法において、前記ケーブルコネクタと前記供試品の供試用コネクタとの間を、接続用ケーブルで接続された第１、第２接続用コネクタからなる接続用アダプタコネクタで接続し、前記試験用コネクタに対して前記第１接続用コネクタを接続し、前記供試用コネクタに対して前記第２接続用コネクタを接続する方法であり、また、前記接続用アダプタコネクタの接続用ケーブルの数は、前記ケーブルコネクタのケーブルの数よりも少なくする方法であり、また、前記第１接続用コネクタの端子数は、前記試験用コネクタの端子数と同一とする方法であり、また、前記第１接続用コネクタの端子数は、前記試験用コネクタの端子数よりも少くする方法である。
【発明の効果】
【０００９】
本発明による計測用ケーブル接続方法は、以上のように構成されているため、次のような効果を得ることができる。
すなわち、試験器材に固定されたケーブルコネクタの試験用コネクタと、供試品の供試用コネクタとの間を、その供試品の構成に適合した構成からなる接続用アダプタコネクタで接続しているため、各供試品毎にそれに適合した接続用アダプタコネクタのみを用意すればよく、従来のように長いケーブルを有する各供試品専用の複数種類のケーブルコネクタをもつ必要がなく、標準のケーブルコネクタと複数の接続用アダプタコネクタの組合せとなり、管理手間及びコストを大幅に低下させることができる。
【発明を実施するための最良の形態】
【００１０】
本発明は、試験器材に接続されたケーブルコネクタと供試品との間を、供試品の構成に適合した接続用アダプタコネクタを用いて接続することにより、長いケーブルを有するケーブルコネクタを用いなくても済むようにした計測用ケーブル接続方法を提供することを目的とする。
【実施例】
【００１１】
以下、図面と共に本発明による計測用ケーブル接続方法の好適な実施の形態について説明する。
尚、従来例と同一又は同等部分には、同一符号を付して説明する。
図１において、符号１で示されるものは、抵抗測定器２を有する試験器材であり、この試験器材１にはこの抵抗測定器２にロータリースイッチ３を介して接続された試験器材用コネクタ４が設けられている。
【００１２】
前記試験器材用コネクタ４には、複数のケーブル７及び試験用コネクタ８ａからなるケーブルコネクタ５ａを介して第１供試品６ａの第１供試用コネクタ１０ａが接続されている。
前記第１供試品６ａは３個の部品９が第１供試用コネクタ１０ａに接続されて構成されており、６本の線９ａが第１供試用コネクタ１０ａの６個の端子ａ〜ｆに接続されている。
【００１３】
前記試験用コネクタ８ａは、６本のケーブル７に接続されているため、６個の端子ａ〜ｆを有しており、この試験用コネクタ８ａは第１供試用コネクタ１０ａに直接接続されている。
前記ケーブルコネクタ５ａのケーブル７の数と第１供試品６ａの線９ａの数は一致しているため、この場合のみは、各コネクタ８ａ，１０ａ同志が直接接続され、ケーブル７の数は線９ａの数に合わせてあるため、この数をマックスとしている。
【００１４】
前記第１供試品６ａは、３個の部品９で線９ａが６本で形成されているが、第２供試品６ｂは２個の部品９で線９ａが４本であるため、試験用コネクタ８ａを第２供試用コネクタ１０ｂに接続させるのではなく、第１接続用アダプタコネクタ２０を用いて接続する。
【００１５】
前記第１接続用アダプタコネクタ２０は、前記試験用コネクタ８ａと同一形状をなし、これと同数の端子ａ〜ｆを有するか、又は、これより少ない端子ａ〜ｄを有する第１接続用コネクタ２１と、４本の接続用ケーブル２２と、この各接続用ケーブル２２に接続された第２接続用コネクタ２３とから構成され、この４本の接続用ケーブル２２は第２供試品６ｂの線９ａの数と一致している。
【００１６】
従って、この第１供試品６ａの線９ａの数よりも少ない数の線９ａからなる第２供試品６ｂを前記試験用コネクタ８ａに接続する場合、前記第１接続用アダプタコネクタ２０の第１接続用コネクタ２１を前記試験用コネクタ８ａに接続し、前記第２接続用コネクタ２３を前記第２供試用コネクタ１０ｂに接続することにより、第２供試品６ｂを試験器材１に対して第１接続用アダプタコネクタ２０及びケーブルコネクタ５ａを介して接続することができる。
【００１７】
また、前記第２供試品６ｂの線９ａの数よりも少ない数の線９ａからなる第３供試品６ｃを前記試験用コネクタ８ａに接続する場合、前記第１接続用アダプタコネクタ２０よりも少ない数の接続用ケーブル２２を有し、第１、第２接続用コネクタ３０，３１からなる第２接続用アダプタコネクタ３２を用いる。
【００１８】
すなわち、前記第１接続用コネクタ３０は、前記試験用コネクタ８ａと同一形状をなし、これと同数の端子ａ〜ｆを有するか、又は、これより少ない端子ａ，ｂを有する第１接続用コネクタ３０を前記試験用コネクタ８ａに接続し、第２接続用コネクタ３１を前記第３供試用コネクタ１０ｃに接続することにより、第３供試品６ｃは前記試験用コネクタ８ａに接続される。
【００１９】
前記試験器材１は、例えば、図２で示されるように構成され、試験器材用コネクタ４と抵抗測定器２及びロータリースイッチ３が前面側に設けられている。
また、前記試験器材１に接続される各供試品６ａ・・・としては、図３に見られるように、カプセル、減速装置、推力制御装置、拘束装置、バンドカッタ、ロケットモータ、電源装置、トンネルケーブル及びアンビリカルケーブル等の導通テストを行うことができる。
【００２０】
また、図４は、図３で示した各種供試品６ａ・・・をケーブルコネクタ５ａと各接続用アダプタコネクタ２０，３２・・・を用いて試験器材１に接続する状態を示している説明図である。
【産業上の利用可能性】
【００２１】
本発明は、試験器材と供試品との間の接続に限らず、各種電子部品等の接続切換え及び特性を変えた製品の組立てにも適用可能である。
【図面の簡単な説明】
【００２２】
【図１】本発明による計測用ケーブル接続方法を示す構成図である。
【図２】図１の試験器材を示す正面図である。
【図３】本発明による試験器材と供試品の接続例を示す構成図である。
【図４】図１の接続状態を示す構成図である。
【図５】従来の計測用ケーブル接続方法を示す構成図である。
【符号の説明】
【００２３】
１    試験器材
２    抵抗測定器
３    ロータリースイッチ
４    試験器材用コネクタ
５ａ    ケーブルコネクタ
６ａ，６ｂ，６ｃ    第１、第２、第３供試品
７    ケーブル
８ａ    試験用コネクタ
９ａ    線
１０ａ，１０ｂ，１０ｃ    第１、第２、第３供試用コネクタ
２０    第１接続用アダプタコネクタ
２１    第１接続用コネクタ
２２    接続用ケーブル
２３    第２接続用コネクタ
３０    第１接続用コネクタ
３１    第２接続用コネクタ
３２    第２接続用アダプタコネクタ
【図１】
2006177670.tif 000003
【図２】
2006177670.tif 000004
【図３】
2006177670.tif 000005
【図４】
2006177670.tif 000006
【図５】
2006177670.tif 000007